(57)【要約】【課題】既設のコンロでありながらも、コンロの使用情報を外部監視者に報知することができるコンロを提供する。【解決手段】加熱調理の開始操作により点灯しかつ加熱調理の停止操作により消灯する調理用ランプが調理器本体１に設けられ、調理用ランプの点灯状態と消灯状態とのいずれであるかを検出する光検出部１３、及び、外部監視者に対する報知用の無線通信部１７が、調理器本体１に装着され、無線通信部１７が、光検出部１３による点灯状態の検出に基づいて、調理器本体１が使用されたことを示す使用情報を通信するように構成されている。【選択図】図５
2019074276.tif 000002
【特許請求の範囲】
【請求項１】
加熱調理の開始操作により点灯しかつ加熱調理の停止操作により消灯する調理用ランプが調理器本体に設けられたコンロであって、
前記調理用ランプが点灯状態と消灯状態とのいずれであるかを検出する光検出部、及び、外部監視者に対する報知用の無線通信部が、前記調理器本体に装着され、
前記無線通信部が、前記光検出部による前記点灯状態の検出に基づいて、前記調理器本体が使用されたことを示す使用情報を通信するように構成されているコンロ。
【請求項２】
前記光検出部が、前記調理用ランプを覆う状態で前記調理器本体に装着される遮光性を備えた検出用ケースの内部に設けられ、
前記検出用ケースに、代用ランプが外部に露出する状態で設けられ、
前記代用ランプが、前記光検出部の前記点灯状態の検出に基づいて点灯作動状態に切換えられ、かつ、前記光検出部の前記消灯状態の検出に基づいて点灯停止状態に切換えられるように構成されている請求項１に記載のコンロ。
【請求項３】
前記調理用ランプが、電源スイッチの操作により前記点灯状態と前記消灯状態とに切換えられる電源ランプである請求項２に記載のコンロ。
【請求項４】
前記電源スイッチ及び前記電源ランプが、照光式押ボタンスイッチとして一体に構成されて、前記検出用ケースが前記照光式押ボタンスイッチを覆う状態で設けられ、
前記検出用ケースが、前記照光式押しボタンスイッチを押操作する押操作状態と前記照光式押しボタンスイッチの押操作を解除する復帰状態とに切換え自在でかつ前記復帰状態に弾性復帰する形態に構成されている請求項３に記載のコンロ。
【請求項５】
前記無線通信部及び前記代用ランプを作動させる作動用電池が、前記調理器本体に装着されている請求項３又は４に記載のコンロ。
【請求項６】
前記無線通信部及び前記作動用電池が、前記調理器本体の外面に装着されている請求項５に記載のコンロ。
【請求項７】
請求項１〜６のいずれか１項に記載のコンロにおける前記無線通信部からの前記使用情報を前記外部監視者の受信部に送信する外部無線通信部が設けられている見守りシステム。
【発明の詳細な説明】
【技術分野】
【０００１】
本発明は、加熱調理の開始操作により点灯しかつ加熱調理の停止操作により消灯する調理用ランプが調理器本体に設けられたコンロ、及び、当該コンロを用いた見守りシステムに関する。
【背景技術】
【０００２】
一人暮らしの老人等の安否を外部監視者が遠隔地から確認できる見守りシステムとして、家庭内の機器の使用情報を外部監視者に報知するシステムが提案されている（例えば、特許文献１参照。）。
特許文献１においては、機器の使用情報を記憶管理する中継用のホストコンピュータを設けて、外部監視者がホストコンピュータに電話回線を用いてアクセスすることにより、中継用のホストコンピュータが記憶管理する機器の使用情報を確認できるように構成されている。
【０００３】
ちなみに、機器の使用情報を外部監視者に報知するための構成としては、特許文献１に記載の構成に代えて、機器の使用情報をＷＷＷサーバが公開するホームページに表示する構成や、機器の使用情報を、インターネットや公衆回線等の通信網を用いて外部監視者が保持する携帯端末に通信する構成も提案されている。
【先行技術文献】
【特許文献】
【０００４】
【特許文献１】特開平７−２３１３５６号公報
【発明の概要】
【発明が解決しようとする課題】
【０００５】
家庭内の機器としての、ガス燃焼式のガスコンロや電磁加熱式の電磁調理コンロ等のコンロは、住人が日々使用する機器であり、そのコンロの使用情報を外部監視者に報知することが考えられる。しかしながら、既設のコンロを用いて、その使用情報を外部監視者に報知することができないものであった。
【０００６】
すなわち、コンロの使用情報を外部監視者に報知するには、例えば、ガスコンロにおいて、電源スイッチ又は点火スイッチが操作されると、その操作情報をガスコンロの使用情報として外部監視者に報知することが考えられる。
このように、電源スイッチや点火スイッチの操作情報をガスコンロの使用情報として外部監視者に報知できるようにするには、外部監視者に対する報知用の無線通信部や電源スイッチ又は点火スイッチの操作情報を取得する取得部をガスコンロに装備して、取得部にて取得した操作情報をガスコンロの使用情報として無線通信部から通信させることが考えられる。
【０００７】
そして、新たに設置するガスコンロについては、無線通信部や取得部を予め装備させておくことにより、ガスコンロの使用情報を外部監視者に報知することはできるものの、既設のガスコンロには、無線通信部や取得部が装備されていないため、既設のガスコンロを用いて、その使用情報を外部監視者に報知することができないものであった。
【０００８】
本発明は、上記実状に鑑みて為されたものであって、その目的は、既設のコンロでありながらも、コンロの使用情報を外部監視者に報知することができるコンロを提供する点にある。
また、本発明の別の目的は、そのようなコンロを用いた見守りシステムを提供する点にある。
【課題を解決するための手段】
【０００９】
本発明のコンロは、加熱調理の開始操作により点灯しかつ加熱調理の停止操作により消灯する調理用ランプが調理器本体に設けられたものであって、その特徴構成は、
前記調理用ランプが点灯状態と消灯状態とのいずかであるかを検出する光検出部、及び、外部監視者に対する報知用の無線通信部が、前記調理器本体に装着され、
前記無線通信部が、前記光検出部による前記点灯状態の検出に基づいて、前記調理器本体が使用されたことを示す使用情報を通信するように構成されている点にある。
【００１０】
すなわち、加熱調理を行うための開始操作によって調理用ランプが点灯すると、光検出部が調理用ランプの点灯状態を検出して、外部監視者に対する報知用の無線通信部が、調理器本体が使用されたことを示す使用情報を通信することになり、調理器本体が使用されたことが、外部監視者に報知されることになる。
【００１１】
そして、調理用ランプの点灯状態及び消灯状態を検出する光検出部、及び、外部監視者に対する報知用の無線通信部は、例えば、調理器本体の外面に貼り付ける等、コンロの設置後においても、つまり、既設のコンロにおいても、調理器本体に適宜装着できるものであるから、既設のコンロにおいても、調理器本体が使用されたことを示す使用情報を、外部監視者に報知させることができる。
【００１２】
要するに、本発明のコンロによれば、既設のガスコンロでありながらも、コンロの使用情報を外部監視者に報知することができる。
【００１３】
本発明のコンロの更なる特徴構成は、前記光検出部が、前記調理用ランプを覆う状態で前記調理器本体に装着される遮光性を備えた検出用ケースの内部に設けられ、
前記検出用ケースに、代用ランプが外部に露出する状態で設けられ、
前記代用ランプが、前記光検出部の前記点灯状態の検出に基づいて点灯作動状態に切換えられ、かつ、前記光検出部の前記消灯状態の検出に基づいて点灯停止状態に切換えられるように構成されている点にある。
【００１４】
すなわち、調理用ランプを覆う状態で調理器本体に装着される遮光性を備えた検出用ケースの内部に、光検出部を設けるものであるから、外乱光が光検出部に受光されることを抑制した状態で、調理用ランプの光を光検出部にて受光させることができるため、調理用ランプが点灯状態であるか、消灯状態であるかを適切に検出させることができる。
【００１５】
しかも、調理用ランプが点灯状態のときには、代用ランプを点灯作動状態に切換え、かつ、調理用ランプが消灯状態のときには、代用ランプを点灯停止状態に切換えるものであるから、調理用ランプが検出用ケースに覆われていても、調理用ランプが点灯状態であるか、消灯状態であるかを、代用ランプが点灯作動状態であるか、点灯停止状態であるかによって、適切に表示することができる。
【００１６】
要するに、本発明のコンロの更なる特徴構成によれば、調理用ランプの点灯状態と消灯状態とを適切に表示しながら、調理用ランプの点灯状態と消灯状態とを適切に検出させることができる。
【００１７】
また、本発明のコンロの更なる特徴構成は、前記調理用ランプが、電源スイッチの操作により前記点灯状態と前記消灯状態とに切換えられる電源ランプである点にある。
【００１８】
すなわち、加熱調理を行うために電源スイッチをオン操作することにより、電源ランプが点灯状態になると、光検出部が電源ランプの点灯状態を検出して、外部監視者に対する報知用の無線通信部が、調理器本体が使用されたことを示す使用情報を通信することになる。
【００１９】
電源スイッチは、加熱調理を行える状態と行えない状態とに調理器本体を切換えるものであり、加熱調理を行う際には、電源スイッチは必ずオン状態に操作されるものであるから、電源ランプの点灯状態を検出することにより、コンロが使用されたことを的確に検出することができるため、調理器本体が使用されたことを示す使用情報を的確に通信することができる。
【００２０】
要するに、本発明のコンロの更なる特徴構成によれば、調理器本体が使用されたことを示す使用情報を的確に通信することができる。
【００２１】
本発明のコンロの更なる特徴構成は、前記電源スイッチ及び前記電源ランプが、照光式押ボタンスイッチとして一体に構成されて、前記検出用ケースが前記照光式押ボタンスイッチを覆う状態で設けられ、
前記検出用ケースが、前記照光式押しボタンスイッチを押操作する押操作状態と前記照光式押しボタンスイッチの押操作を解除する復帰状態とに切換え自在でかつ前記復帰状態に弾性復帰する形態に構成されている点にある。
【００２２】
すなわち、電源スイッチ及び電源ランプが、照光式押ボタンスイッチとして一体に構成されている場合において、光検出部及び代用ランプを備える検出用ケースが、照光式押ボタンスイッチを覆う状態で設けられるものであるから、照光式押ボタンスイッチの点灯状態及び消灯状態を代用ランプによって適切に表示しながら、照光式押ボタンスイッチの点灯状態と消灯状態とを適切に検出させることができる。
【００２３】
しかも、検出用ケースが、照光式押しボタンスイッチを押操作する押操作状態と照光式押しボタンスイッチの押操作を解除する復帰状態とに切換え自在でかつ復帰状態に弾性復帰する形態に構成されているから、検出用ケースが照光式押ボタンスイッチを覆う状態に設けられるものでありながらも、照光式押ボタンスイッチを適切に押操作することができる。
【００２４】
要するに、本発明のコンロの更なる特徴構成によれば、照光式押ボタンスイッチの点灯状態と消灯状態とを適切に表示し、かつ、照光式押ボタンスイッチの点灯状態を消灯状態とを適切に検出させることができるようにしながらも、照光式押ボタンスイッチを適切に押操作することができる。
【００２５】
本発明のコンロの更なる特徴構成は、前記無線通信部及び前記代用ランプを作動させる作動用電池が、前記調理器本体に装着されている点にある。
【００２６】
すなわち、調理器本体に装着した作動用電池の電力にて、無線通信部及び代用ランプを作動させるものであるから、無線通信部及び代用ランプを作動させるための電力供給を良好に行うことができる。
【００２７】
つまり、無線通信部及び代用ランプを作動させるための電力を、コンロが設置される台所等のキッチン空間に装備されている商用電源のコンセントから受電することが考えられるが、この場合、コンセントから延びる受電用電線が邪魔になる等の不都合を生じる虞があるが、調理器本体に装着した作動用電池の電力にて、無線通信部及び代用ランプを作動させることにより、そのような不都合の発生を回避できる。
【００２８】
要するに、本発明のコンロの更なる特徴構成によれば、使い勝手を向上できる。
【００２９】
本発明の見守りシステムは、上記特徴構成を備えるコンロにおける前記無線通信部からの前記使用情報を前記外部監視者の受信部に送信する外部無線通信部が設けられている点にある。
【００３０】
すなわち、無線通信部から通信される使用情報が、外部無線通信部を経由して、外部監視者の受信部に送信されることになるから、外部監視者は、受信部にて受信される使用情報に基づいて、コンロを使用する見守り対象者がコンロを使用していることを適切に知ることができる。
【００３１】
つまり、コンロを使用する見守り対象者がコンロを使用すれば、その使用情報が外部監視者の受信部に送信されることになるから、外部監視者は受信部にて受信される使用情報に基づいて、見守り対象者がコンロを使用していることを適切に知ることができる。
【００３２】
要するに、本発明の見守りシステムによれば、外部監視者が見守り対象者がコンロを使用していることを適切に知ることができる。
【図面の簡単な説明】
【００３３】
【図１】キッチンカウンタに装着したビルトイン式ガスコンロの斜視図
【図２】キッチンカウンタに装着したビルトン式ガスコンロの側面図
【図３】コンロ用操作部の正面図
【図４】検出用ケースの装着部を示す横断平面図
【図５】無線通信部と携帯端末との通信形態を示す概略図
【図６】第２実施形態のコンロ用操作部の正面図
【図７】第２実施形態の検出用ケースの装着部を示す横断平面図
【発明を実施するための形態】
【００３４】
〔第１実施形態〕
以下、本発明の第１実施形態を図面に基づいて説明する。
（ガスコンロの全体構成）
図１及び図２に示すように、コンロとしてのビルトイン式ガスコンロＧＣが、キッチンカウンタＫの挿入口Ｋａを通して挿入される形態で、キッチンカウンタＫに装着されている。
【００３５】
すなわち、ビルトイン式ガスコンロＧＣが、キッチンカウンタＫの挿入口Ｋａの周縁部に載置される鍔部１Ａを備えた調理器本体１と、調理器本体１の上部に設置される天板２とを備えている。
加熱部としての３つのコンロバーナ３が、天板２を貫通する状態で調理器本体１に装備され、調理器本体１の内部に、ガスグリルＧが装備されている。
【００３６】
３つのコンロバーナ３は、標準バーナ３ａ、小バーナ３ｂ、及び、高火力バーナ３ｃであり、調理器本体１の上面を覆う天板２の上部には、鍋等を受け止め支持するための五徳４が３つのコンロバーナ３の夫々に対応して載置支持されている。
【００３７】
ガスグリルＧの前部には、ガスグリルＧを開閉するグリル扉５が設けられ、ガスグリルＧの燃焼排ガスを排気するためのグリル排気口６が、天板２の後方側箇所に形成されている。
尚、図示は省略するが、ガスグリルＧには、グリルバーナが装備されることになる。
【００３８】
（ガスコンロの操作構成）
調理器本体１におけるキッチンカウンタＫの下方に位置する調理器前面部には、加熱調理用操作部ＴＳが設けられている。つまり、調理器前面部におけるガスグリルＧの右側部分が、コンロ用操作部に構成され、ガスグリルＧの左側部分が、グリル用操作部に構成されている。
【００３９】
すなわち、調理器前面部の右側上部には、３つのコンロバーナ３の夫々に対応させて３つコンロ用操作具７が設けられ、また、調理器本体１の前面の右側下部には、３つのコンロバーナ３に対応させて、開閉式のコンロ用設定部ＳＣが設けられている。
そして、コンロ用操作具７の押し操作によって、コンロバーナ３に対する点火及び消火を行い、コンロ用操作具７の回転操作によって、コンロバーナ３の火力調節操作を行うように構成されている。
また、コンロ用設定部ＳＣによって湯沸し運転等の自動調理運転の設定を行うように構成されている。つまり、コンロ用設定部ＳＣの上面部には、各種のスイッチ類や各種の表示部が設けられて、表示部の内容を確認しながらスイッチ類の操作を行うことにより、湯沸し運転等の自動調理運転を設定できるように構成されている。
【００４０】
調理器前面部の左側上部には、グリルバーナに対応させてグリル用操作具８が設けられ、また、調理器本体１の前面の左側下部には、グリルバーナに対応させて、開閉式のグリル用設定部ＳＧが設けられている。
そして、グリル用操作具８の押し操作によって、グリルバーナに対する点火及び消火を行い、グリル用操作具８の回転操作によって、グリルバーナの火力調節操作を行うように構成されている。
また、グリル用設定部ＳＧによって、魚焼き等の自動調理運転の設定を行うように構成されている。つまり、グリル用設定部ＳＧの上面部には、各種のスイッチ類や各種の表示部が設けられて、表示部の内容を確認しながらスイッチ類の操作を行うことにより、魚焼き等の自動調理運転を設定できるように構成されている。
【００４１】
３つのコンロ用操作具７の夫々の上部には、複数のコンロ用火力表示ランプ９が並設されている。これらのコンロ用火力表示ランプ９は、調節された火力が大きくなるほど点灯する数を増加するように構成されている。
同様に、グリル用操作具８の上部には、複数のグリル用火力表示ランプ１０が並設されている。これらのグリル用火力表示ランプ１０は、コンロ用火力表示ランプ９と同様に、調節された火力が大きくなるほど点灯する数を増加するように構成されている。
【００４２】
（電源用操作構成）
図１及び図３に示すように、調理器本体１におけるキッチンカウンタＫの下方に位置する調理器前面部における右方側のコンロ用操作具７の上部には、電源スイッチ１１及び当該電源スイッチ１１の操作により点灯状態と消灯状態とに切換えられる電源ランプ１２（調理用ランプＬの一例）が設けられている。
【００４３】
すなわち、電源スイッチ１１は、押操作されるごとに入り状態と切り状態とに切換え操作されるものであって、入り状態において、電源の電力をコンロ用制御部や各種の機器類に供給する状態となり、切り状態において、その電力供給を停止するように構成されている。
尚、本実施形態は、電源として、電池（図示せず）を搭載する形態であるが、商用電力を供給するコンセントから電力を受電する形態でもよい。
【００４４】
したがって、ビルトイン式ガスコンロＧＣを使用する際には、電源スイッチ１１を入り状態に操作することになり、また、ビルトイン式ガスコンロＧＣを使用しないときには、電源スイッチ１１を切り状態に操作しておくことになる。
ちなみに、本実施形態においては、電源スイッチ１１を入り状態にした後において、コンロバーナ３及びグリルバーナの燃焼停止状態が設定時間（例えば、１５分）の間継続すると、自動的に電源スイッチ１１を切り状態に操作するように構成されている。
【００４５】
ちなみに、電源ランプ１２は、加熱調理を開始する際には、電源スイッチ１１の操作により点灯し、加熱調理を停止する際には、電源スイッチ１１の操作により消灯するものであるから、本実施形態においては、電源ランプ１２が、加熱調理の開始操作により点灯し且つ加熱調理の停止操作により消灯する調理用ランプＬとして機能するものである。
【００４６】
（点灯検出用構成）
図４に示すように、電源ランプ１２が点灯状態と消灯状態とのいずれであるかを検出する光検出部１３が、調理器前面部に装着されている。
具体的には、光検出部１３が、電源ランプ１２を覆う状態で調理器前面部に装着される遮光性を備えた検出用ケースＷ（図３参照）の内部に設けられている。
光検出部１３は、光電セル等の光電センサを用いて構成されている。
【００４７】
また、図４に示すように、検出用ケースＷに、代用ランプ１４が外部に露出する状態で設けられている。この代用ランプ１４は、電源ランプ１２の点灯状態及び消灯状態を表示するために、点灯作動状態と点灯停止状態とに切換えられるように構成されている。
【００４８】
検出用ケースＷが、光検出部１３と代用ランプ１４とを保持する円板状の保持部Ｗｈ、当該保持部Ｗｈから調理器前面部側に延びる筒部Ｗｄ、及び、当該筒部Ｗｄの先端の取付け部Ｗｔを備える形状に、遮光性がある合成樹脂にて形成されている。
そして、検出用ケースＷは、光検出部１３と代用ランプ１４とを、内外方向に並べる状態に保持部Ｗｈに保持し、かつ、調理器前面部を形成する前面パネル１Ｆに両面テープ等を用いて取付け部Ｗｔを貼り付ける形態で、調理器前面部に装着されている。
【００４９】
（代用ランプの点灯制御）
代用ランプ１４が、光検出部１３による電源ランプ１２の点灯状態の検出に基づいて点灯作動状態に切換えられ、かつ、光検出部１３による電源ランプ１２の消灯状態の検出に基づいて点灯停止状態に切換えられるように構成されている。
【００５０】
すなわち、図５に示すように、作動用電池１５の電力にて作動して、代用ランプ１４を点灯作動させる点灯制御部１６が設けられている。
作動用電池１５及び点灯制御部１６は、調理器本体１の前面パネル１Ｆの背部箇所に装備されたユニットケースＵに収納されている（図１、図３参照）。
【００５１】
そして、点灯制御部１６が、光検出部１３の検出情報に基づいて電源ランプ１２の点灯状態であると判別すると、作動用電池１５の電力を代用ランプ１４に供給して、代用ランプ１４を点灯作動状態に切換え、且つ、光検出部１３の検出情報に基づいて電源ランプ１２の消灯状態であると判別すると、代用ランプ１４に対する作動用電池１５の電力供給を停止して、代用ランプ１４を点灯停止状態に切換えるように構成されている。
【００５２】
ちなみに、作動用電池１５としては、棒状の乾電池やボタン電池を使用できるものである。
また、ユニットケースＵの装着箇所としては、前面パネル１Ｆの背部箇所に代えて、前面パネル１Ｆの前面に両面テープ等により貼り付ける形態で、前面パネル１Ｆの前面に装着する等、調理器本体１の外面に装着するようにしてもよい。
【００５３】
（通信構成）
図５に示すように、外部監視者に対する報知用の無線通信部１７が、調理器本体１に装着されている。具体的には、無線通信部１７が、上述したユニットケースＵの内部に、作動用電池１５及び点灯制御部１６と共に収納されている。
無線通信部１７は、通信制御部と通信部とを備えるものであって、光検出部１３にて電源ランプ１２の点灯状態が検出されると、通信制御部が、調理器本体１（ビルトイン式ガスコンロＧＣ）が使用されたことを示す使用情報を通信部から送信するように構成されている。
【００５４】
本実施形態においては、無線通信部１７の通信制御部が、光検出部１３が電源ランプ１２の点灯状態を検出したことを示す点灯信号を、点灯制御部１６から受信するように構成されている。つまり、点灯制御部１６が、光検出部１３の検出情報に基づいて電源ランプ１２の点灯状態であると判別すると、代用ランプ１４を点灯作動状態に切換え制御することに加えて、点灯信号を通信制御部に送信するように構成されている。
尚、光検出部１３の検出情報を通信制御部に入力して、電源ランプ１２の点灯状態と消灯状態とを通信制御部にて判別する形態で実施してもよい。
【００５５】
無線通信部１７の通信制御部は、マイクロコンピュータを用いて構成されている。本実施形態においては、通信制御部は、消費電力の軽減のため、通常は、スリープモードで待機し、点灯制御部１６からの点灯信号に基づいて起動して、調理器本体１が使用されたことを示す使用情報を通信部から送信するように構成されている。
【００５６】
通信部は、本実施形態においては、無線通信形式としてＢｌｕｅｔｏｏｔｈ（登録商標、以下同じ）を用いている。尚、無線通信部１７の通信部と外部との間での通信については、後述する。
ちなみに、無線通信部１７は、設定時間間隔（例えば、５秒間隔）にて、通信状態確認用のヌルパケット（空の情報）を送信するように構成されている。
【００５７】
（見守りシステムについて）
図５に示すように、ビルトイン式ガスコンロＧＣが設置される箇所（例えば、台所）に、中継用無線通信部１８を備えるガス漏れ警報器１９が設置されている。
中継用無線通信部１８は、通信形式としてＢｌｕｅｔｏｏｔｈを用いる第１中継通信部１８Ａと、通信形式として特殊小型無線を用いる第２中継通信部１８Ｂとを、相互に情報を伝達自在に接続する形態に構成されている。
そして、無線通信部１７が、中継用無線通信部１８の第１中継通信部１８Ａとの間で通信するように構成されている。
【００５８】
ビルトイン式ガスコンロＧＣが設置されている家庭に対して設置されるガスメータ２０に、ガスメータ用通信部２１が設けられている。
ガスメータ用通信部２１は、通信形式として特殊小型無線を用いる第１ガスメータ通信部２１Ａと、通信形式としてＰＨＳを用いる第２ガスメータ通信部２１Ｂとを、相互に情報を伝達自在に接続する形態に構成されている。
そして、中継用無線通信部１８の第２中継通信部１８Ｂが、ガスメータ用通信部２１の第１ガスメータ通信部２１Ａとの間で通信するように構成されている。
【００５９】
また、ガスメータ用通信部２１の第２ガスメータ通信部２１Ｂが、インターネット等の通信網を経由してガス会社が管理する管理制御部Ｑと通信自在に構成され、さらに、管理制御部Ｑが、３ＧやＬＴＥ等の通信回線を用いて、外部監視者が保持する受信部としての携帯端末Ｔとの間で通信自在に構成されている。
ちなみに、本実施形態においては、無線通信部１７と外部監視者が保持する携帯端末Ｔとの間で通信する外部無線通信部Ｒが、ガス漏れ警報器１９が備える中継用無線通信部１８、ガスメータ２０が備えるガスメータ用通信部２１及びガス会社が管理する管理制御部Ｑを用いて構成されることになる。
【００６０】
そして、ビルトイン式ガスコンロＧＣの使用に際して、電源スイッチ１１の操作により電源ランプ１２が点灯状態になり、光検出部１３にて電源ランプ１２の点灯状態が検出されると、調理器本体１（ビルトイン式ガスコンロＧＣ）の使用情報が、無線通信部１７からガス漏れ警報器１９の中継用無線通信部１８及びガスメータ２０が備えるガスメータ用通信部２１を経由して、ガス会社が管理する管理制御部Ｑに通信され、管理制御部Ｑが、外部監視者が保持する携帯端末Ｔに対して、ビルトイン式ガスコンロＧＣの使用情報を通信するように構成されている。
【００６１】
また、中継用無線通信部１８は、ガス漏れ警報器１９がガス漏れ等の異常発生を感知したときには、異常発生信号を、ガスメータ用通信部２１を経由して管理制御部Ｑに通信することになる。
そして、管理制御部Ｑが受信した異常発生信号に基づいて、ガス漏れが発生した家庭に対して保安車を出動させる等、保安管理作業を行うことにより、安全性が確保されるようになっている。
【００６２】
ちなみに、上述の説明では省略したが、無線通信部１７から中継用無線通信部１８に対する通信、中継用無線通信部１８からガスメータ用通信部２１に対する通信等、各部同士の間での通信には、個別の識別情報が付与された状態で行われることは勿論である。
【００６３】
（実施形態のまとめ）
本実施形態によれば、ビルトイン式ガスコンロＧＣを使用するために電源スイッチ１１を入り状態に操作して、光検出部１３が電源ランプ１２の点灯状態を検出すると、無線通信部１７が、調理器本体１（ビルトイン式ガスコンロＧＣ）の使用情報を通信することにより、外部監視者に対して調理器本体１（ビルトイン式ガスコンロＧＣ）の使用情報を報知することができる。
【００６４】
具体的には、ガス漏れ警報器１９が備える中継用無線通信部１８、ガスメータ２０が備えるガスメータ用通信部２１及びガス会社が管理する管理制御部Ｑを経由して、調理器本体１（ビルトイン式ガスコンロＧＣ）の使用情報を外部監視者の携帯端末Ｔに送信することができる。
【００６５】
また、電源ランプ１２が検出用ケースＷにて覆われるものの、代用ランプ１４が点灯作動状態に切換ることにより、電源ランプ１２が点灯状態であること、つまり、ビルトイン式ガスコンロＧＣが電源供給状態であることを適切に認識することができる。
【００６６】
しかも、検出用ケースＷ及びユニットケースＵは、ビルトイン式ガスコンロＧＣの設置後において、使用者の必要に応じて、適宜装着することができるものであるから、既設のビルトイン式ガスコンロＧＣの使用情報を外部監視者の携帯端末Ｔに送信することができるようになる。
【００６７】
〔第２実施形態〕
次に、第２実施形態を説明するが、第２実施形態は、電源スイッチ１１及び電源ランプ１２の別形態及び検出用ケースＷの別形態を示すものであって、その他の構成は第１実施形態と同様であるので、第１実施形態と異なる部分についてのみ説明して、第１実施形態と同様な構成については、第１実施形態と同じ符号を付して、詳細な説明を省略する。
【００６８】
図７に示すように、電源スイッチ１１及び電源ランプ１２が、照光式押ボタンスイッチＢとして一体に構成されている。
そして、図６に示すように、検出用ケースＷが照光式押ボタンスイッチＢを覆う状態で設けられている。
【００６９】
検出用ケースＷが、照光式押ボタンスイッチＢを押操作する押操作状態と照光式押ボタンスイッチＢの押操作を解除する復帰状態とに切換え自在でかつ復帰状態に弾性復帰する形態に構成されている。
すなわち、検出用ケースＷの保持部Ｗｈに、照光式押ボタンスイッチＢを押操作する押圧部２２が設けられている。
そして、検出用ケースＷにおける筒部Ｗｄが、前面パネル１Ｆ（照光式押ボタンスイッチＢ）に対する遠近方向に沿って弾性変形自在で、かつ、前面パネル１Ｆ（照光式押ボタンスイッチＢ）から離間した状態に復帰自在な蛇腹状に構成されている。
【００７０】
従って、ビルトイン式ガスコンロＧＣを使用する際に、検出用ケースＷの保持部Ｗｈを押操作すると、照光式押ボタンスイッチＢ（電源スイッチ１１）が入り状態になり、光検出部１３が照光式押ボタンスイッチＢ（電源ランプ１２）の点灯状態を検出して、代用ランプ１４が点灯作動状態に切換ることになる。
【００７１】
このように、照光式押ボタンスイッチＢが検出用ケースＷにて覆われるものの、代用ランプ１４が点灯作動状態に切換ることにより、照光式押ボタンスイッチＢが点灯状態であること、つまり、ビルトイン式ガスコンロＧＣが電源供給状態であることを適切に認識することができる。
【００７２】
しかも、検出用ケースＷ及びユニットケースＵの夫々は、ビルトイン式ガスコンロＧＣの設置後において、使用者の必要に応じて、適宜装着することができるものであり、既設のビルトイン式ガスコンロＧＣの使用情報を外部監視者の携帯端末Ｔに送信することができるようになる。
【００７３】
〔別実施形態〕
次に、別実施形態を列記する。
（イ）上記第１及び第２実施形態おいては、ガスグリルＧを備えるビルトイン式ガスコンロＧＣに本発明を適用する場合を例示したが、本発明は、ガスグリルＧを備えないビルトイン式ガスコンロＧＣにも適用できるものであり、また、本発明は、ビルトイン式ガスコンロＧＣに代えて、据え置き型のガスコンロにも適用できるものである。
【００７４】
（ロ）上記第１及び第２実施形態においては、無線通信部１７、作動用電池１５、及び、点灯制御部１６を、ユニットケースＵにまとめて収納して、そのユニットケースＵを調理器本体１に装着する場合を例示したが、無線通信部１７、作動用電池１５、及び、点灯制御部１６の夫々を、調理器本体１に各別に装着する形態で実施してもよい。
【００７５】
（ハ）上記第１及び第２実施形態においては、代用ランプ１４及び無線通信部１７を作動用電池１５の電力にて作動させるように構成したが、商用電源を供給するコンセントからの電力を供給する形態で実施してもよい。
【００７６】
（ニ）上記第１及び第２実施形態においては、光検出部１３を、電源ランプ１２を覆う検出用ケースＷの内部に設ける場合を例示したが、例えば、電源ランプ１２を露出させる状態で、光検出部１３を電源ランプ１２の横側脇に隣接設置する形態で実施してもよく、この場合、代用ランプ１４を省略することができる。
【００７７】
（ホ）上記第１及び第２実施形態においては、電源ランプ１２を調理用ランプＬとして例示したが、例えば、複数のバーナを備えるガスコンロにおいて、複数のバーナのいずれかが燃焼状態になると点灯し、複数のバーナの全てが燃焼停止状態になると消灯する燃焼ランプを備える場合において、当該燃焼ランプを調理用ランプＬとして用いるようにする等、調理用ランプＬとしては、加熱調理の開始操作により点灯しかつ加熱調理の停止操作により消灯する各種のランプを用いることができる。
【００７８】
（へ）上記第１及び第２実施形態においては、無線通信部１７が、Ｂｌｕｅｔｏｏｔｈを通信形式として用いて、ガス漏れ警報器１９やガスメータ２０を経由して外部監視者の携帯端末Ｔに送信する場合を例示したが、例えば、専用のゲートウェイを設置して、インターネットを経由して外部監視者の携帯端末Ｔに送信する等、外部無線通信部Ｒの具体構成は各種変更できる。
そして、無線通信部１７の無線通信形式としても、ＬＰＷＡ（Ｌｏｗ  Ｐｏｗｅｒ  Ｗｉｄｅ  Ａｒｅａ）を用いるようにする等、各種の無線通信形式を適用することができる。
【００７９】
（ト）上記第１及び第２実施形態においては、コンロとして、ビルトイン式ガスコンロＧＣを例示したが、コンロとしては、電磁調理式コンロを対象とすることができる。
【００８０】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【００８１】
１      調理器本体
１１    電源スイッチ
１２    電源ランプ
１３    光検出部
１４    代用ランプ
１５    作動用電池
１７    無線通信部
Ｂ      照光式押ボタンスイッチ
Ｌ      調理用ランプ
Ｗ      検出用ケース
【図１】
2019074276.tif 000003
【図２】
2019074276.tif 000004
【図３】
2019074276.tif 000005
【図４】
2019074276.tif 000006
【図５】
2019074276.tif 000007
【図６】
2019074276.tif 000008
【図７】
2019074276.tif 000009